(57)【要約】【課題】入力された電話番号から変換されるネットワークアドレスに基づいてファクシミリ送信を制限する仕組みを提供することを目的とする。【解決手段】ＭＦＰ１００は、ＳＩＰサーバ１０４を利用してＩＰ−ＦＡＸ送信を行う。このＩＰ−ＦＡＸ送信を行う際、ＭＦＰ１００は、送信先の電話番号を指定してＥＮＵＭサーバ１０５に問い合わせ、ＥＮＵＭサーバ１０５から返された送信先情報（ネットワークアドレス）を取得する。ＭＦＰ１００は、上記取得した送信先情報のドメインが設定されている送信制限ドメインに該当するものであるか否かを判定する。上記送信先情報のドメインが上記送信制限ドメインに該当する場合、ＭＦＰ１００は、上記送信先情報を送信先とするＩＰ−ＦＡＸ送信を制限する。【選択図】図１
2010183340.tif 000002
【特許請求の範囲】
【請求項１】
電話番号をネットワークアドレスに変換する電話番号変換装置およびファクシミリ通信の呼制御を行う呼制御装置を利用して、ネットワークを介してファクシミリ送信を行うファクシミリ装置であって、
送信先の電話番号を入力する入力手段と、
ファクシミリ送信が制限される送信制限ドメインを設定する設定手段と、
前記電話番号変換装置に対して前記入力手段により入力された送信先の電話番号のネットワークアドレスへの変換を依頼し、前記電話番号変換装置から前記送信先のネットワークアドレスを取得する取得手段と、
前記取得手段により取得した送信先のネットワークアドレスのドメインおよび前記設定手段により設定された送信制限ドメインに基づいて、前記取得した送信先のネットワークアドレスを送信先とするファクシミリ送信を制限する制御手段と
を備えることを特徴とするファクシミリ装置。
【請求項２】
前記制御手段は、前記取得した送信先のネットワークアドレスのドメインと前記設定された送信制限ドメインとが同じである場合、前記取得した送信先のネットワークアドレスを送信先とするファクシミリ送信を制限することを特徴とする請求項１に記載のファクシミリ装置。
【請求項３】
前記設定手段は、前記取得した送信先のネットワークアドレスのドメインの国情報と前記送信先の電話番号の国情報とが不一致である場合に前記取得した送信先のネットワークアドレスを送信先とするファクシミリ送信を制限する送信制限の設定が可能であり、
前記制御手段は、前記設定手段により前記送信制限が設定されている場合、前記送信先のネットワークアドレスのドメインの国情報と前記送信先の電話番号の国情報とが不一致であるか否かを判定し、該判定の結果に基づいて、前記取得した送信先のネットワークアドレスを送信先とするファクシミリ送信を制限することを特徴とする請求項２に記載のファクシミリ装置。
【請求項４】
前記設定手段は、前記送信制限を設定した場合、前記制御手段による前記取得した送信先のネットワークアドレスのドメインの国情報と前記送信先の電話番号の国情報とが不一致であるか否かの判定において、特定のドメインを判定対象としないように設定することが可能であることを特徴とする請求項３に記載のファクシミリ装置。
【請求項５】
前記設定手段は、ファクシミリ送信が制限される送信制限ドメインとともにそのサブドメインの設定が可能であることを特徴とする請求項１に記載のファクシミリ装置。
【請求項６】
ファクシミリ通信の呼制御を行う呼制御装置を利用して、ネットワークを介してファクシミリ通信を行うファクシミリ装置であって、
送信制限ドメインを設定する設定手段と、
受信した画像データの送信先となるネットワークアドレスを、当該受信した画像データの送信元であるファクシミリ装置から取得する取得手段と、
前記取得した送信先のネットワークアドレスのドメインおよび前記設定された送信制限ドメインに基づいて、前記取得した送信先のネットワークアドレスを送信先とする前記受信した画像データのファクシミリ送信を制限する制御手段と
を備えることを特徴とするファクシミリ装置。
【請求項７】
前記制御手段は、前記取得した送信先のネットワークアドレスのドメインと前記設定された送信制限ドメインとが同じである場合、前記取得した送信先のネットワークアドレスを送信先とするファクシミリ送信を制限することを特徴とする請求項６に記載のファクシミリ装置。
【請求項８】
前記設定手段は、ファクシミリ送信が制限される送信制限ドメインとともにそのサブドメインの設定が可能であることを特徴とする請求項６に記載のファクシミリ装置。
【請求項９】
電話番号をネットワークアドレスに変換する電話番号変換装置およびファクシミリ通信の呼制御を行う呼制御装置を利用して、ネットワークを介してファクシミリ送信を行うファクシミリ装置の制御方法であって、
ファクシミリ送信が制限される送信制限ドメインを設定する工程と、
送信先の電話番号を入力する工程と、
前記電話番号変換装置に対して前記入力された送信先の電話番号のネットワークアドレスへの変換を依頼し、前記電話番号変換装置から前記送信先のネットワークアドレスを取得する工程と、
前記取得した送信先のネットワークアドレスのドメインおよび前記設定された送信制限ドメインに基づいて、前記取得した送信先のネットワークアドレスを送信先とするファクシミリ送信を制限する工程と
を備えることを特徴とするファクシミリ装置の制御方法。
【請求項１０】
ファクシミリ通信の呼制御を行う呼制御装置を利用して、ネットワークを介してファクシミリ通信を行うファクシミリ装置の制御方法であって、
送信制限ドメインを設定する工程と、
受信した画像データの送信先となるネットワークアドレスを、当該受信した画像データの送信元であるファクシミリ装置から取得する工程と、
前記取得された送信先のネットワークアドレスのドメインおよび前記設定された送信制限ドメインに基づいて、前記取得した送信先のネットワークアドレスを送信先とする前記受信した画像データのファクシミリ送信を制限する工程と
を備えることを特徴とするファクシミリ装置の制御方法。
【請求項１１】
請求項９または１０に記載のファクシミリ装置の制御方法をコンピュータに実行させるためのプログラム。
【発明の詳細な説明】
【技術分野】
【０００１】
本発明は、ネットワークを介してファクシミリ通信を行うファクシミリ装置、その制御方法およびプログラムに関する。
【背景技術】
【０００２】
現在、ＩＰ（Internet Protocol）電話の普及が進み、電話網を介した従来のＧ３−ＦＡＸ（ファクシミリ）の他に、ＩＰネットワークを介してＦＡＸ通信を行うＦＡＸが登場している。このＩＰネットワークを介して行われるＦＡＸ通信の方式としては、みなし音声方式、リアルタイム方式（ＩＴＵ−Ｔ．３８方式）、メール方式（ＩＴＵ−Ｔ．３７方式）の各方式がある。
【０００３】
ＦＡＸに関しては、誤送信により機密情報などの重要情報が外部に漏洩することを未然に防止するための各種技術が提案されている。例えば宛先の電話番号を２度入力させる技術がある。
【０００４】
また、上記リアルタイム方式のＦＡＸに関しては、発信者が意図しない端末へＦＡＸ送信が行われることを防止するための技術が提案されている（特許文献１参照）。この技術は、ＳＩＰ（Session Initiation Protocol）サーバから、宛先アドレスの代替えアドレスが通知された場合に、通信を中断し、代替えアドレスへのＦＡＸ送信を制限するものである。また、上記通知された代替えアドレスが予め設定された許可アドレスに該当する場合、通信を許可し、代替えアドレスへのＦＡＸ送信を行うことが可能である。
【０００５】
また、電子メールに関しても、誤送信により重要情報が外部に漏洩することなどを未然に防止するために、宛先アドレスのドメインに基づいて、当該宛先アドレスに対する電子メールの送信を制限する技術が提案されている（特許文献２参照）。
【先行技術文献】
【特許文献】
【０００６】
【特許文献１】特開２００５−９４６６２号公報
【特許文献２】特開２００３−４４４０２号公報
【発明の概要】
【発明が解決しようとする課題】
【０００７】
ところで、従来、電話番号をネットワークアドレスに変換する機能を有した電話番号変換装置が知られている。この電話番号変換装置を利用して上記リアルタイム方式のＦＡＸ送信を行う場合、最初に送信先の電話番号を入力し、該入力された電話番号のネットワークアドレスへの変換を電話番号変換装置に依頼する。そして、電話番号変換装置から取得したネットワークアドレスを送信先としてファクシミリ送信を実行する。
【０００８】
しかしながら、このとき、上述した従来技術を採用していたとしても、依然として発信者が意図しない端末への送信が行われてしまう場合がある。即ち、たとえ最初に入力される電話番号が正しいものであっても、電話番号変換装置に登録されたネットワークアドレスが、ユーザが意図しない端末に対応するものであって、且つ代替アドレスの設定がなされていない場合が考えられる。このような場合に、ユーザが意図しない端末への送信が実行されてしまうことになる。
【０００９】
また従来は、リアルタイム方式を用いて受信した画像データを転送することが知られているが、このとき画像データの送信先として指定されたネットワークアドレスに基づいてファクシミリ送信を制限することは行われていなかった。このため、ユーザが意図しない端末に受信した画像データが送信されてしまう可能性があった。
【００１０】
本発明は、上記の問題点に鑑みなされたものであり、入力された電話番号から変換されるネットワークアドレスに基づいてファクシミリ送信を制限する仕組みを提供することを目的とする。また、本発明は、受信した画像データの転送先として指定されたネットワークアドレスに基づいてファクシミリ送信を制限する仕組みを提供することを目的とする。
【課題を解決するための手段】
【００１１】
上記目的を達成するために本発明のファクシミリ装置は、電話番号をネットワークアドレスに変換する電話番号変換装置およびファクシミリ通信の呼制御を行う呼制御装置を利用して、ネットワークを介してファクシミリ送信を行うファクシミリ装置であって、送信先の電話番号を入力する入力手段と、ファクシミリ送信が制限される送信制限ドメインを設定する設定手段と、前記電話番号変換装置に対して前記入力手段により入力された送信先の電話番号のネットワークアドレスへの変換を依頼し、前記電話番号変換装置から前記送信先のネットワークアドレスを取得する取得手段と、前記取得手段により取得した送信先のネットワークアドレスのドメインおよび前記設定手段により設定された送信制限ドメインに基づいて、前記取得した送信先のネットワークアドレスを送信先とするファクシミリ送信を制限する制御手段とを備えることを特徴とする。
【発明の効果】
【００１２】
本発明によれば、入力された電話番号から変換されるネットワークアドレスに基づいてファクシミリ送信を制限することができる。また、本発明によれば、受信した画像データの転送先として指定されたネットワークアドレスに基づいてファクシミリ送信を制限することができる。
【図面の簡単な説明】
【００１３】
【図１】本発明の第１の実施の形態に係るファクシミリ装置が接続されるネットワークの構成を模式的に示す図である。
【図２】図１のＭＦＰ１００の構成を示すブロック図である。
【図３】図１のＥＮＵＭサーバ１０５に設定されているデータを示す図である。
【図４】図１のＭＦＰ１００の操作部１３３に表示されるＦＡＸ送信制限設定画面の一例を示す図である。
【図５】ＭＦＰ１００から、ＭＦＰ１１０が受信先として設定されているＭＦＰ１０１に対して、ＩＰ−ＦＡＸ送信を行う場合のシーケンスを示す図である。
【図６】ＩＰ−ＦＡＸ送信の制限が設定されているＭＦＰ１００が、ＭＦＰ１１０が受信先として設定されているＭＦＰ１０１に対してＩＰ−ＦＡＸ送信を行う場合のシーケンスを示す図である。
【図７】ＭＦＰ１００がＦＡＸ送信を行う際の動作の手順を示すフローチャートである。
【図８】ＭＦＰ１００がＦＡＸ送信を行う際の動作の手順を示すフローチャートである。
【図９】本発明の第２の実施の形態においてＭＦＰ１０１からの転送依頼によりＭＦＰ１００がＩＰ−ＦＡＸ通信によりＭＦＰ１０１から受信したデータをＭＦＰ１１０へ転送する場合のシーケンスを示す図である。
【図１０】本発明の第２の実施の形態においてＭＦＰ１０１からの転送依頼によりＭＦＰ１００がＭＦＰ１０１から受信したデータをＭＦＰ１１０へ転送する際に、ＭＦＰ１００によるデータの転送が許可されない場合のシーケンスを示す図である。
【図１１】本発明の第２の実施の形態においてＭＦＰ１００がＭＦＰ１０１から受信したデータをＭＦＰ１１０へ転送する際のＭＦＰ１００の動作の手順を示すフローチャートである。
【発明を実施するための形態】
【００１４】
以下、本発明の実施の形態について図面を参照しながら説明する。
【００１５】
（第１の実施の形態）
図１は本発明の第１の実施の形態に係るファクシミリ装置が接続されるネットワークの構成を模式的に示す図である。本実施の形態においては、ファクシミリ装置として、ファクシミリ通信機能を含む複数の機能を有する複合機、即ちＭＦＰ（Multi Function Peripheral）を例に説明する。
【００１６】
本実施の形態においては、図１に示すように、複数のＭＦＰ１００，１０１がＬＡＮ１０２（Local Area Network）に接続されている。各ＭＦＰ１００，１０１は、スキャナ、プリンタなどを搭載し、コピー機能、プリンタ機能、ファクシミリ機能などを実現する複合機である。
【００１７】
ＬＡＮ１０２には、ＳＩＰサーバ（呼制御装置）１０４、ＥＮＵＭサーバ（電話番号変換装置）１０５、Ｔ．３８ゲートウェイ（ＧＷ）１０６が接続されている。ＳＩＰサーバ１０４は、ＲＦＣ２５４３などで規定されるＳＩＰ（Session Initiation Protocol）プロトコルに従い、ＦＡＸ通信の呼制御を行うサーバである。
【００１８】
ＥＮＵＭサーバ１０５は、電話番号による名前空間（telephone number  mapping）を用いて、電話番号とネットワークアドレスとを対応付ける仕組み（ＥＮＵＭ）を提供するサーバである（ＲＦＣ２９１６，Ｅ．１６４）。具体的には、ＥＮＵＭサーバ１０５は、電話番号を含む問い合わせに応答して、電話番号を対応するネットワークに変換し、当該ネットワークアドレスを問い合わせ先に返す。
【００１９】
Ｔ．３８ゲートウェイ１０６は、ＬＡＮ１０２上のＴ．３８のプロトコルのデータから、ＰＳＴＮ１０８上のＴ．３０のプロトコルのデータへの変換、またはその逆の変換を行う。
【００２０】
ここで、各ＭＦＰ１００，１０１は、設定された電子メールアドレスを用いた、Ｔ．３７方式（メール方式）のファクシミリ通信（以下、Ｉ−ＦＡＸ）を実現する。また、各ＭＦＰ１００，１０１は、Ｔ．３８方式（リアルタイム方式）のファクシミリ通信機能（以下、ＩＰ−ＦＡＸ）を実現する。上記Ｔ．３８は、電話回線を用いて通信が行われるＧ３−ＦＡＸのＴ．３０プロトコルをＩＰネットワーク上に展開したプロトコルである。各ＭＦＰ１００，１０１は、Ｔ．３８ゲートウェイ１０６を介して、Ｇ３−ＦＡＸ装置１０９とファクシミリ通信を行うことが可能である。
【００２１】
また、ＭＦＰ１００は、Ｔ．３０プロトコルに従うＧ３−ＦＡＸのファクシミリ通信を実現する。ＭＦＰ１００は、ＰＢＸ（private branch exchange）１０７と接続され、当該ＰＢＸ１０７を経由してＰＳＴＮ（公衆電話回線網）１０８に接続可能である。これにより、ＭＦＰ１００は、ＰＳＴＮ１０８を介して、Ｇ３−ＦＡＸ装置１０９、Ｇ３−ＦＡＸのファクシミリ通信が可能なＭＦＰ１１０などと、Ｇ３−ＦＡＸのファクシミリ通信を行うことが可能である。
【００２２】
上記ＩＰ−ＦＡＸ，Ｉ−ＦＡＸ，Ｇ３−ＦＡＸの各ＦＡＸ通信のために、各ＭＦＰ１００，１０１，１１０には、例えば表１に示すように、ＳＩＰ−ＵＲＩ、Ｔ．３７で規定されるメールアドレス、Ｅ．１６４で規定される電話番号が付与されている。
【００２３】
【表１】
2010183340.tif 000003
【００２４】
次に、ＭＦＰ１００の構成について図２を参照しながら説明する。図２は図１のＭＦＰ１００の構成を示すブロック図である。
【００２５】
ＭＦＰ１００は、図２に示すように、ＣＰＵ１３０、ＲＯＭ１３１およびＲＡＭ１３２を有する。ＣＰＵ１３０は、ＲＯＭ１３１に格納されているプログラムに従ってＭＦＰ１００全体の制御を行う。ＲＡＭ１３２は、ＣＰＵ１３０の作業領域およびデータを一時的に保持するための領域を提供する。
【００２６】
ＣＰＵ１３０には、ＣＰＵバス１５０を介して、操作部１３３、スキャナ１３４、プリンタ１３５、画像処理部１３６、ハードディスク１３７、ネットワークＩ／Ｆ（インタフェース）１３８、フォーマット部１３９、ファックス部１４０が接続されている。
【００２７】
操作部１３３は、液晶表示パネルと、スタートキー、テンキーなどを含む複数のハードキーを有し、液晶表示パネルには、ソフトボタンおよびモードなどを設定するための操作画面、装置状態を示す情報などが表示される。
【００２８】
スキャナ１３４は、原稿給送装置からプラテンガラス上に給送された原稿を走査し、当該原稿上の画像を読み取る。この読み取られた原稿の画像データは、デジタルデータに変換された後に、出力される。プリンタ１３５は、電子写真方式のプリンタからなる。画像処理部１３６は、画像メモリを有し、画像の回転、拡大および縮小、ＭＨ、ＭＲ、ＭＭＲ、ＪＢＩＧ、ＪＰＥＧ方式による画像の符号化およびその復号、シェーディング、トリミング、マスキングなど、各種の画像処理を行う。
【００２９】
ハードディスク１３７は、ＳＣＳＩ、ＩＤＥなどのＩ／Ｆで接続されている大容量記録媒体であり、ハードディスク１３７には、ＭＦＰ１００の動作を制御するためのプログラム、画像データなどが格納される。ネットワークＩ／Ｆ１３８は、１０ＢＡＳＥ−Ｔ、１００ＢＡＳＥ−Ｔを代表とするイーサネット(登録商標)またはトークンリングなどのネットワーク回線１４１と接続するためのネットワークデータリンクを実行するインタフェースである。フォーマット部１３９は、ＰＤＬ（Page Description Language）データを解析し、プリンタ１３５が処理可能な画像データを作成する。ファクス部１４０は、ＮＣＵ（Network Control Unit）、モデムなどを有し、電話回線１４２と接続される。
【００３０】
ネットワークＩ／Ｆ１３８がパソコンからのＰＤＬ（Page Description Language）データを受信すると、当該ＰＤＬデータは、フォーマット部１３９により解析され、画像データが作成される。この作成された画像データは、画像処理部１３６において、画像処理された後に、プリンタ１３５で印刷される。
【００３１】
スキャナ１３４、プリンタ１３５、画像処理部１３６、フォーマット部１３９およびファックス部１４０は、ＣＰＵバス１５０とは別の高速ビデオバス１５１で接続され、画像データの高速転送が可能である。この高速ビデオバス１５１を用いて、コピー機能、ファクシミリ機能が実現される。
【００３２】
ここでは、ＭＦＰ１００の構成について説明したが、他のＭＦＰ１０１，１１０も同様の構成を有するものであり、その説明は省略する。
【００３３】
次に、ＥＮＵＭサーバ１０５に設定されているデータについて図３を参照しながら説明する。図３は図１のＥＮＵＭサーバ１０５に設定されているデータを示す図である。
【００３４】
ＥＮＵＭサーバ１０５には、図３に示すようなデータ３００〜３１２が設定されている。ここで、各データ３００〜３０３は、それぞれ、ＭＦＰ１００に関するデータである。データ３００は、ＭＦＰ１００の電話番号を逆にしてドットで区切った文字列と、ｅ１６４．ａｒｐａの文字列からなるデータである。データ３０１は、ＭＦＰ１００のＳＩＰ−ＵＲＩ（sip:info@abc.co.jp）を示し、「１００」の重み付けがされているデータである。データ３０２は、ＭＦＰ１００のＴ．３７のメールアドレス（ifax@abc.co.jp）を示し、「１０２」の重み付けがされているデータである。データ３０３は、ＭＦＰ１００のＦＡＸ電話番号（+81-3-0000-0001）を示し、「１０４」の重み付けがされているデータである。
【００３５】
従って、ＥＮＵＭサーバ１０５に「+81-3-0000-0001」という電話番号を問い合わせると、上記データが問い合わせ先に返される。そして、問い合わせ先において、上記データ３０１〜３０３のうち、重み付けの数値が低いデータが宛先として使用される。ここで、使用した宛先の通信において不通などの障害が発生すると、次の重み付けのデータが宛先として使用される。
【００３６】
各データ３０４〜３０６は、ＭＦＰ１０１に関するデータである。ここで、データ３０４には、ＭＦＰ１０１の電話番号を逆にしてドットで区切った文字列と、ｅ１６４．ａｒｐａの文字列からなる。データ３０５は、ＭＦＰ１０１のＳＩＰ−ＵＲＩ（sip:sales@abc.co.jp）を示し、「１００」の重み付けがされているデータである。データ３０６は、ＭＦＰ１０１のＴ．３７のメールアドレス（sales‐fax@abc.co.jp）を示し、「１０２」の重み付けがされているデータである。
【００３７】
従って、ＥＮＵＭサーバ１０５に「+81-3-1234-5678」という電話番号を問い合わせると、上記データが問い合わせ先に返される。そして、問い合わせ先において、上記データのうち、重み付けの数値が低いデータが宛先として使用される。ここで、使用した宛先の通信において不通などの障害が発生すると、次の重み付けのデータが宛先として使用される。
【００３８】
各データ３０７，３０８は、Ｇ３−ＦＡＸ装置１０９に関するデータである。データ３０７は、Ｇ３−ＦＡＸ装置１０９の電話番号を逆にしてドットで区切った文字列と、ｅ１６４．ａｒｐａの文字列からなる。データ３０８は、Ｇ３−ＦＡＸ装置１０９のＦＡＸ電話番号（+81-3-0000-1111）を示し、「１００」の重み付けがされているデータである。
【００３９】
従って、ＥＮＵＭサーバ１０５に「+81-3-0000-1111」という電話番号を問い合わせると、上記データが問い合わせ先に返される。
【００４０】
データ３０９〜３１２は、ＭＦＰ１１０に関するデータである。データ３０９は、ＭＦＰ１１０の電話番号を逆にしてドットで区切った文字列と、ｅ１６４．ａｒｐａの文字列からなる。データ３１０は、ＭＦＰ１１０のＳＩＰ‐ＵＲＩ（sip:info@abc.com.cn）を示し、「１００」の重み付けがされているデータである。データ３１１は、ＭＦＰ１１０のＴ．３７のメールアドレス（info@abc.com.cn）を示し、「１０２」の重み付けがされているデータである。データ３１２は、ＭＦＰ１１０のＦＡＸ電話番号（+86-10-2222-3333）を示し、「１０４」の重み付けがされているデータである。
【００４１】
従って、ＥＮＵＭサーバ１０５に「+86-10-2222-3333」という電話番号を問い合わせると、上記データが問い合わせ先に返される。そして、問い合わせ先において、上記データのうち、重み付けの数値が低いデータが宛先として使用される。ここで、使用した宛先の通信において不通などの障害が発生すると、次の重み付けのデータが宛先として使用される。
【００４２】
次に、ＦＡＸ送信の制限の設定について図４を参照しながら説明する。図４は図１のＭＦＰ１００の操作部１３３に表示されるＦＡＸ送信制限設定画面の一例を示す図である。
【００４３】
本実施の形態においては、複数のＦＡＸ送信のうち、所望のＦＡＸ送信を制限するように設定することができ、当該設定を行う権限は、システム管理者のみに与えられている。よって、ＭＦＰ１００においてＦＡＸ送信の制限を設定する場合、システム管理者のみが操作部１３３にＦＡＸ送信制限設定画面を表示させ、当該ＦＡＸ送信制限設定画面を用いて所望のＦＡＸ送信の制限を設定することができる。これに対し、他のユーザは、ＦＡＸ送信制限設定画面を表示させ、閲覧することはできない。
【００４４】
ＭＦＰ１００は、上述したように、Ｇ３−ＦＡＸ送信、Ｉ−ＦＡＸ送信、ＩＰ−ＦＡＸ送信のそれぞれを行うＦＡＸ送信機能を有する。システム管理者は、上記各ＦＡＸ送信のうち、所望のＦＡＸ送信の制限を設定することができる。
【００４５】
ＭＦＰ１００においてＧ３−ＦＡＸ送信、Ｉ−ＦＡＸ送信、ＩＰ−ＦＡＸ送信のうち、所望のＦＡＸ送信を制限する場合、システム管理者は、ＭＦＰ１００の操作部１３３にＦＡＸ送信制限設定画面を表示させる操作を行う。この操作により、ＦＡＸ送信制限設定画面として、例えば図４に示すような画面３５０が操作部１３３に表示される。
【００４６】
ＦＡＸ送信制限設定画面３５０は、海外の送信先へＦＡＸ送信を行う際に用いられるＦＡＸ送信（Ｇ３−ＦＡＸ送信、ＩＰ−ＦＡＸ送信、Ｉ−ＦＡＸ送信）の制限を設定するための画面である。ここで、Ｇ３−ＦＡＸ送信制限、ＩＰ−ＦＡＸ送信制限、Ｉ−ＦＡＸ送信制限のそれぞれには、チェックボックス３５１〜３５３が設けられている。これらのチェックボックス３５１〜３５３のうち、所望のチェックボックスにチェックが入られると、チェックが入れられたチェックボックスのＦＡＸ送信が制限される。
【００４７】
例えばＧ−３ＦＡＸ送信制限のチェックボックス３５１にチェックが入られていると、送信先の電話番号に基づいて当該送信先が海外の送信先か否かが判定され、当該送信先が海外の送信先であれば、Ｇ−３ＦＡＸ送信が制限される。ＩＰ−ＦＡＸ送信制限のチェックボックス３５２にチェックが入られていると、送信先の電話番号などに基づいて当該送信先が海外の送信先か否かが判定され、当該送信先が海外の送信先であれば、ＩＰ−ＦＡＸ送信が制限される。このＩＰ−ＦＡＸの送信制限の詳細については後述する。Ｉ−ＦＡＸ送信制限のチェックボックス３５３にチェックが入られていると、送信先の電子メールアドレスに基づいて当該送信先が海外の送信先か否かが判定され、当該送信先が海外の送信先であれば、Ｉ−ＦＡＸ送信が制限される。
【００４８】
また、ＩＰ−ＦＡＸ送信、Ｉ−ＦＡＸ送信を許可する送信先のドメイン（送信可能ドメイン）を設定するためのチェックボックス３５４、およびＩＰ−ＦＡＸ送信、Ｉ−ＦＡＸ送信を許可する送信先のドメイン名の入力欄３５５，３５６が含まれる。また、入力されたドメイン名のサブドメインを、ＩＰ−ＦＡＸ送信、Ｉ−ＦＡＸ送信を許可する送信先として許可するか否かを設定するためのチェックボックス３５７，３５８が含まれる。
【００４９】
本例においては、入力欄３５５にドメイン名「abc.co.jp」が入力されており、そのサブドメインを許可するチェックボックス３５６にチェックが入れられている。よって、この場合、「sales.abc.co.jp」などのサブドメインに対してもＦＡＸ送信（ＩＰ−ＦＡＸ送信またはＩ−ＦＡＸ送信）が許可されることになる。
【００５０】
また、ＩＰ−ＦＡＸ送信、Ｉ−ＦＡＸ送信を制限する送信先のドメイン（送信制限ドメイン）を設定するためのチェックボックス３５９、およびＩＰ−ＦＡＸ送信、Ｉ−ＦＡＸ送信を制限する送信先のドメイン名の入力欄３６０，３６１が含まれる。また、入力されたドメイン名のサブドメインを、ＩＰ−ＦＡＸ送信、Ｉ−ＦＡＸ送信を制限する送信先として制限するか否かを設定するためのチェックボックス３６２，３６３が含まれる。
【００５１】
本例においては、入力欄３６０にドメイン名「abc.co.jp」が入力されており、そのサブドメインを許可するチェックボックス３６２にチェックが入れられている。よって、この場合、「sales.abc.co.jp」などのサブドメインに対してもＦＡＸ送信（ＩＰ−ＦＡＸ送信またはＩ−ＦＡＸ送信）が制限されることになる。
【００５２】
また、送信先の電話番号の国情報と送信先のドメインの国情報が不一致の場合に送信制限の設定を行うためのチェックボックス３６４が含まれる。チェックボックス３６４にチェックが入られると、送信先の電話番号の国情報とそのドメインの国情報が不一致であるか否かの判定が行われる。ここで、送信先の電話番号の国情報とドメインの国情報が不一致であると判定されると、ＩＰ−ＦＡＸ送信が制限される。
【００５３】
また、チェックボックス３６４にチェックが入られた場合に、「.com」ドメイン（特定のドメイン）を米国のドメインと判断しないように設定するためのチェックボックス３６５が設けられている。本来、ドメイン「.com」は、米国のドメインであるが、他の国への展開が行われている場合がある。よって、チェックボックス３６５にチェックが入れられていると、送信先の電話番号の国情報とドメインの国情報が不一致であるか否かを判定する際に、ドメイン「.com」は、米国のドメインと判断することは避けられる。即ち、ドメイン「.com」は、送信先の電話番号の国情報とそのドメインの国情報が不一致であるか否かの判定対象とされない。
【００５４】
ＦＡＸ送信制限設定画面３５０を用いて設定された内容は、ハードディスク１３７に保持される。
【００５５】
次に、ＭＦＰ１００からＭＦＰ１０１に対してＩＰ−ＦＡＸ送信を行う場合について図５を参照しながら説明する。図５はＭＦＰ１００から、ＭＦＰ１１０が受信先として設定されているＭＦＰ１０１に対して、ＩＰ−ＦＡＸ送信を行う場合のシーケンスを示す図である。
【００５６】
ここでは、ＭＦＰ１０１のユーザが、ＭＦＰ１０１に代えてＭＦＰ１１０でＦＡＸ送信されたデータを受信するように設定されているとする。この設定を行う場合、図５に示すように、ＭＦＰ１０１から「ＲＥＧＩＳＴＥＲ」がＳＩＰサーバ１０４に送信される（４００）。この「ＲＥＧＩＳＴＥＲ」は、受信先をＭＦＰ１１０に設定するためのメッセージである。この「ＲＥＧＩＳＴＥＲ」を受信したＳＩＰサーバ１０４は、受信先がＭＦＰ１０１であるＦＡＸ送信に対して、その受信先をＭＦＰ１１０とする設定を行い、ＭＦＰ１０１に対して「２００  ＯＫ」を返す（４０１）。このようにして、ＭＦＰ１０１を受信先としたＦＡＸ送信に対して、ＭＦＰ１１０で当該ＦＡＸ送信により送信されたデータを受信する設定が行われる。
【００５７】
ＭＦＰ１００がＭＦＰ１０１を受信先としてＩＰ−ＦＡＸ送信を実行する場合、ＭＦＰ１００は、ＭＦＰ１０１の電話番号である「+81-3-1234-5678」を指定して、ＥＮＵＭサーバ１０５に問い合わせを行う（４０２）。この問い合わせを受けたＥＮＵＭサーバ１０５は、図３に示すデータ３０５を返す（４０３）。
【００５８】
ＭＦＰ１００は、ＥＮＵＭサーバ１０５から返されたデータ３０５，３０６のうち、重み付けの数値が低いデータ即ち「sip: sales@abc.co.jp」を、ＩＰ−ＦＡＸ送信の宛先に設定する。そして、ＭＦＰ１００は、ＳＩＰサーバ１０４に対してＩＮＶＩＴＥコマンドとともに、「sip:sales@abc.co.jp」への接続要求を発行する（４０４）。この接続要求を受けたＳＩＰサーバ１０４は、ＭＦＰ１０１に代えて、ＭＦＰ１１０に対して「ＩＮＶＩＴＥ」を発行する（４０５）。また、ＳＩＰサーバ１０４は、ＭＦＰ１００に対して、「ＩＮＶＩＴＥ」を実行中であることを示す「１００  Ｔｒｙｉｎｇ」の暫定メッセージを返す（４０６）。
【００５９】
上記「ＩＮＶＩＴＥ」を受けたＭＦＰ１１０は、「１８０  Ｒｉｎｇｉｎｇ」の暫定メッセージをＳＩＰサーバ１０４に送信する（４０７）。この暫定メッセージを受信したＳＩＰサーバ１０４は、ＭＦＰ１００に対して、「１８０  Ｒｉｎｇｉｎｇ」の暫定メッセージを送信する（４０８）。
【００６０】
ＭＦＰ１１０は、受信の準備が整うと、「２００  ＯＫ」をＳＩＰサーバ１０４に返し（４０９）、ＳＩＰサーバ１０４は、「２００  ＯＫ」をＭＦＰ１００に返す（４１０）。ここで、ＳＩＰサーバ１０４からの「２００  ＯＫ」には、ｃｏｎｔａｃｔヘッダ（またはＡｃｃｅｐｔ‐ｃｏｎｔａｃｔヘッダ）が含まれ、このヘッダには、実際に通信を行うＭＦＰ１１０の情報（sip:info@abc.com.cn）が記述されている。
【００６１】
ＭＦＰ１００は、上記ｃｏｎｔａｃｔヘッダの情報に基づいて、当該情報が示す宛先に対して送信をしても問題がないか否かを判定し、問題がないと判定した場合、「ＡＣＫ」をＭＦＰ１１１に送信する（４１１）。
【００６２】
「ＡＣＫ」の送信後、ＭＦＰ１００とＭＦＰ１１０との間でメディアセッションが開始され（４１２）、ＭＦＰ１００からＭＦＰ１１０に対して、Ｔ．３８プロトコルに従い、画像データが送信される。
【００６３】
画像データの送信が終了した後（メディアセッションが終了した後）、ＭＦＰ１００は、「Ｂｙｅ」をＳＩＰサーバ１０４に送信し（４１４）、ＳＩＰサーバ１０４は、「Ｂｙｅ」をＭＦＰ１１０に送信する（４１５）。「Ｂｙｅ」を受けたＭＦＰ１１０は、受信処理を終了し、「２００  ＯＫ」をＳＩＰサーバ１０４に送信する（４１６）。この「２００  ＯＫ」を受けたＳＩＰサーバは、「２００  ＯＫ」をＭＦＰ１００に送信する（４１７）。
【００６４】
この「２００  ＯＫ」を受信したＭＦＰ１００は、送信が正常に終了したことを確認し、送信処理を終了する。この際、ＭＦＰ１００は、送信ログに「+81-3-1234-5678」という電話番号と実際に通信した「sip:info@abc.com.cn」の情報を記録する。また、送信ログに記録された情報、送信画像の１ページ目の画像が記載された送信結果レポートを印刷して出力する。
【００６５】
次に、ＩＰ−ＦＡＸ送信の制限が設定されているＭＦＰ１００がＭＦＰ１０１に対してＩＰ−ＦＡＸ送信を行う場合について図６を参照しながら説明する。図６はＩＰ−ＦＡＸ送信の制限が設定されているＭＦＰ１００が、ＭＦＰ１１０が受信先として設定されているＭＦＰ１０１に対してＩＰ−ＦＡＸ送信を行う場合のシーケンスを示す図である。
【００６６】
ここでは、ＭＦＰ１００には、ＦＡＸ送信制限設定画面（図４）を用いて、ＩＰ−ＦＡＸ送信の制限が設定されているとする。また、ＭＦＰ１０１には、当該ＭＦＰ１０１に代えて、ＭＦＰ１１０でＦＡＸ送信されたデータを受信するように設定されているとする。
【００６７】
ここで、図６に示すように、ＭＦＰ１０１においてＭＦＰ１０１に代えてＭＦＰ１１０でＦＡＸ送信されたデータを受信するように設定する場合のシーケンスは、上述した図５に示すシーケンスと同じである。
【００６８】
また、ＭＦＰ１００がＭＦＰ１０１を受信先としてＩＰ−ＦＡＸ送信を実行する場合、ＭＦＰ１００は、まず、ＭＦＰ１０１の電話番号である「+81-3-1234-5678」を指定して、ＥＮＵＭサーバ１０５に問い合わせを行う（４０２）。この問い合わせ後、ＳＩＰサーバ１０４から「２００  ＯＫ」がＭＦＰ１００に返される（４１０）までのシーケンスは、図５に示すシーケンスと同じである。
【００６９】
ＭＦＰ１００は、上記「２００  ＯＫ」に含まれるｃｏｎｔａｃｔヘッダ（またはＡｃｃｅｐｔ‐ｃｏｎｔａｃｔヘッダ）の送信先情報（sip:info@abc.com.cn）に基づいて、当該送信先情報に対するＩＰ−ＦＡＸ送信が制限されているか否かを判定する。ここでは、ｃｏｎｔａｃｔヘッダの送信先情報（sip:info@abc.com.cn）のドメインが、送信制限ドメインであるので（図４）、ＩＰ−ＦＡＸ送信が制限にされていると判定される。
【００７０】
よって、ＭＦＰ１００は、「Ｂｙｅ」をＳＩＰサーバ１０４に送信し（４１４）、ＳＩＰサーバ１０４は、ＭＦＰ１１０に「Ｂｙｅ」を送信する（４１５）。この「Ｂｙｅ」を受信したＭＦＰ１１０は、「２００  ＯＫ」をＳＩＰサーバ１０４に送信し（４１６）、ＳＩＰサーバ１０４は、「２００  ＯＫ」をＭＦＰ１００に送信する（４１７）。「２００  ＯＫ」を受信したＭＦＰ１００は、ＩＰ−ＦＡＸ送信を行うことなく、処理を終了する。この際、ＭＦＰ１００は、送信ログに、送信制限による送信エラーを示す情報と、「+81-3-1234-5678」という電話番号と実際の宛先である「sip:info@abc.com.cn」を含む送信先情報などを記録する。
【００７１】
次に、ＭＦＰ１００がＦＡＸ送信を行う際の動作について図７および図８を参照しながら説明する。図７および図８はＭＦＰ１００がＦＡＸ送信を行う際の動作の手順を示すフローチャートである。図７および図８に示すフローチャートの手順は、ＣＰＵ１３０により、ＲＯＭ１３１またはハードディスク１３７に格納されているプログラムに従って実行されるものである。
【００７２】
ユーザがＭＦＰ１００を用いてＦＡＸ送信を行う際には、ユーザの操作により、ＭＦＰ１００の操作部１３３にＦＡＸ送信画面（図示せず）が表示される。このＦＡＸ送信画面は、ＦＡＸの送信先情報（送信先の電話番号、送信先の電子メールアドレス）、使用するＦＡＸ方式（Ｇ３−ＦＡＸ、ＩＰ−ＦＡＸ、Ｉ−ＦＡＸ）を示す情報などのＦＡＸ送信に関する情報を入力するための画面である。上記ＦＡＸ送信に関する情報が入力された後に、スタートキーが押下されると、ＦＡＸ送信のための処理が開始される。
【００７３】
上記スタートキーが押下されると、図７に示すように、ＣＰＵ１３０は、上記ＦＡＸ送信画面で入力された上記ＦＡＸ送信に関する情報を取得する（ステップＳ５０１）。ここでは、上述したように、入力された送信先情報（送信先の電話番号または電子メールアドレス）、ＦＡＸ方式（Ｇ３−ＦＡＸ、ＩＰ−ＦＡＸ、Ｉ−ＦＡＸ）が取得される。そして、ＣＰＵ１３０は、原稿を読み取るようにスキャナ１３４を制御する（ステップＳ５０２）。
【００７４】
次いで、ＣＰＵ１３０は、上記入力されたＦＡＸ方式がＧ３−ＦＡＸであるか否かを判定する（ステップＳ５０３）。上記入力されたＦＡＸ方式がＧ３−ＦＡＸであると判定された場合、ＣＰＵ１３０は、上記入力された送信先情報に基づいて送信先が海外の送信先であるか否かを判定する（ステップＳ５０４）。上記入力されたＦＡＸ方式がＧ３−ＦＡＸである場合、上記送信先情報としては、送信先の電話番号が入力されている。
【００７５】
上記ステップＳ５０４において送信先が海外の送信先であると判定された場合、ＣＰＵ１３０は、Ｇ３−ＦＡＸ送信の制限（図４）が設定されているか否かを判定する（ステップＳ５０５）。Ｇ３−ＦＡＸ送信の制限が設定されていないと判定された場合、ＣＰＵ１３０は、Ｇ３−ＦＡＸ送信を行う（ステップＳ５０６）。ここでは、ファクス部１４０から電話回線１４２に、スキャナ１３４で読み取られた画像データが送出される。続いて、ＣＰＵ１３０は、送信ログの記録および送信結果レポートの出力を行う（ステップＳ５１３）。ここでは、送信ログに、送信終了を示す情報および送信先情報（電話番号）などが記録されるとともに、送信ログに記録された情報と、送信画像の１ページ目の画像が記載された送信結果レポートが印刷されて出力される。そして、ＣＰＵ１３０は、本処理を終了する。
【００７６】
上記ステップＳ５０４において送信先が海外の送信先でないと判定された場合、ＣＰＵ１３０は、Ｇ３−ＦＡＸ送信を行い（ステップＳ５０６）、送信ログの記録および送信結果レポートの出力を行う（ステップＳ５１３）。そして、ＣＰＵ１３０は、本処理を終了する。
【００７７】
上記ステップ５０５においてＧ３−ＦＡＸ送信の制限が設定されていると判定された場合、ＣＰＵ１３０は、Ｇ３−ＦＡＸ送信の制限を示すメッセージを、操作部１３３に表示する（ステップＳ５１２）。続いて、ＣＰＵ１３０は、送信ログに、送信制限による送信エラーを示す情報および送信先情報（電話番号）を記録するとともに、送信ログに記録された情報が記載された送信結果レポートを印刷して出力する（ステップＳ５１３）。そして、ＣＰＵ１３０は、本処理を終了する。
【００７８】
上記ステップＳ５０３において上記入力されたＦＡＸ方式がＧ３−ＦＡＸでないと判定された場合、ＣＰＵ１３０は、上記入力されたＦＡＸ方式がＩ−ＦＡＸであるか否かを判定する（ステップＳ５０７）。上記入力されたＦＡＸ方式がＩ−ＦＡＸであると判定された場合、ＣＰＵ１３０は、上記入力された送信先情報に基づいて送信先が海外の送信先であるか否かを判定する（ステップＳ５０８）。ここで、上記入力されたＦＡＸ方式がＩ−ＦＡＸである場合、送信先情報としては、電子メールアドレスが入力される。よって、この電子メールアドレスのドメインの国情報に基づいて送信先が海外の送信先であるか否かの判定が行われる。
【００７９】
上記ステップＳ５０８において送信先が海外の送信先であると判定された場合、ＣＰＵ１３０は、Ｉ−ＦＡＸ送信の制限が設定されているか否かを判定する（ステップＳ５０９）。Ｉ−ＦＡＸ送信の制限が設定されていないと判定された場合、ＣＰＵ１３０は、送信先情報（電子メールアドレス）のドメインが設定されている送信制限ドメイン（図４）に該当するものであるか否かを判定する（ステップＳ５１０）。上記電子メールアドレスのドメインが上記送信制限ドメインに該当するものでないと判定された場合、ＣＰＵ１３０は、上記電子メールアドレスを用いて、Ｉ−ＦＡＸ送信を行う（ステップＳ５１１）。ここでは、上記電子メールアドレスを宛先とする、スキャナ１３４で読み取られた画像データが添付された電子メールが送信される。続いて、ＣＰＵ１３０は、送信ログの記録および送信結果レポートの出力を行う（ステップＳ５１３）。送信ログには、送信終了を示す情報および送信先情報（電子メールアドレス）などが記録され、送信結果レポートには、送信ログに記録された情報などが記載される。そして、ＣＰＵ１３０は、本処理を終了する。
【００８０】
上記ステップＳ５０８において送信先が海外の送信先でないと判定された場合、ＣＰＵ１３０は、送信先情報（電子メールアドレス）のドメインが上記送信制限ドメインに該当するものであるか否かを判定する（ステップＳ５１０）。
【００８１】
上記ステップＳ５０９においてＩ−ＦＡＸ送信の制限が設定されていると判定された場合、ＣＰＵ１３０は、Ｉ−ＦＡＸ送信の制限を示すメッセージを、操作部１３３に表示する（ステップＳ５１２）。続いて、ＣＰＵ１３０は、送信ログに、送信制限による送信エラーを示す情報および送信先情報（電子メールアドレス）を記録するとともに、送信ログに記録された情報が記載された送信結果レポートを印刷して出力する（ステップＳ５１３）。そして、ＣＰＵ１３０は、本処理を終了する。
【００８２】
上記ステップＳ５１０において上記送信先情報（電子メールアドレス）のドメインが送信制限ドメインに該当するものであると判定された場合、ＣＰＵ１３０は、Ｉ−ＦＡＸ送信の制限を示すメッセージの表示を行う（ステップＳ５１２）。続いて、ＣＰＵ１３０は、送信ログに、送信制限による送信エラーを示す情報および送信先情報（電子メールアドレス）を記録するとともに、送信ログに記録された情報が記載された送信結果レポートを印刷して出力する（ステップＳ５１３）。そして、ＣＰＵ１３０は、本処理を終了する。
【００８３】
上記ステップＳ５０７において上記入力されたＦＡＸ方式がＩ−ＦＡＸでないと判定された場合、上記入力されたＦＡＸ方式は、ＩＰ−ＦＡＸである。この場合、図８に示すように、ＣＰＵ１３０は、上記入力された送信先情報に基づいて送信先が海外の送信先であるか否かを判定する（ステップＳ５１４）。ここで、上記入力されたＦＡＸ方式がＩＰ−ＦＡＸである場合、送信先情報としては、電話番号が入力される。よって、この電話番号の国情報に基づいて送信先が海外の送信先であるか否かの判定が行われる。
【００８４】
上記ステップＳ５１４において送信先が海外の送信先であると判定された場合、ＣＰＵ１３０は、ＩＰ−ＦＡＸ送信の制限（図４）が設定されているか否かを判定する（ステップＳ５１５）。ＩＰ−ＦＡＸ送信の制限が設定されていないと判定された場合、ＣＰＵ１３０は、ＥＮＵＭ処理を行う（ステップＳ５１６）。ＥＮＵＭ処理は、上述したように、送信先の電話番号を指定してＥＮＵＭサーバ１０５に問い合わせ、この問い合わせに応答してＥＮＵＭサーバ１０５から返された送信先情報（ネットワークアドレス）を取得する処理である（図５または図６の４０２，４０３）。ここで、取得した送信先情報（ネットワークアドレス）がＩＰアドレス形式のものであれば、ＤＮＳの逆引きにより、送信先情報（ネットワークアドレス）のドメインが取得される。また、上記ステップＳ５１４において送信先が海外の送信先でないと判定された場合も、同様に、ＣＰＵ１３０は、ＥＮＵＭ処理を行う（ステップＳ５１６）。
【００８５】
次いで、ＣＰＵ１３０は、上記送信先情報のドメインが設定されている送信制限ドメインに該当するものであるか否かを判定する（ステップＳ５１７）。上記送信先情報のドメインが上記送信制限ドメインに該当するものでないと判定された場合、ＣＰＵ１３０は、ＣＰＵ１３０は、ＳＩＰ処理を行う（ステップＳ５１８）。このＳＩＰ処理は、図５または図６の４０３〜４１０のシーケンスに従って呼制御を行う処理である。そして、ＣＰＵ１３０は、上記ＳＩＰ処理によりＳＩＰサーバ１０４から返された情報（ｃｏｎｔａｃｔヘッダまたはＡｃｃｅｐｔ‐Ｃｏｎｔａｃｔヘッダの情報）に含まれる送信先情報を取得する（ステップＳ５１９）。
【００８６】
次いで、ＣＰＵ１３０は、上記取得された送信先情報がＩＰアドレス形式のものであるか否かを判定する（ステップＳ５２０）。ここで、上記取得された送信先情報がＩＰアドレス形式のものであると判定された場合、ＣＰＵ１３０は、ＤＮＳの逆引きを行い、上記送信先情報のドメインを取得する（ステップＳ５２１）。そして、ＣＰＵ１３０は、上記送信先情報のドメインが設定されている送信制限ドメインに該当するものであるか否かを判定する（ステップＳ５２２）。また、上記ステップＳ５２０において上記取得された送信先情報がＩＰアドレス形式のものでないと判定された場合、ＣＰＵ１３０は、上記送信先情報のドメインが送信制限ドメインに該当するものであるか否かを判定する（ステップＳ５２２）。
【００８７】
上記ステップＳ５２２において上記送信先情報のドメインが送信制限ドメインに該当しないと判定された場合、ＣＰＵ１３０は、国情報が不一致の場合の送信制限（図４）が設定されているか否かを判定する（ステップＳ５２４）。この国情報が不一致の場合の送信制限の設定とは、送信先の電話番号の国情報とＩＰアドレスのドメインの国情報が不一致である場合に、送信制限を行う設定である。例えば、図６の場合、送信先の電話番号「+81-3-1234-5678」は、日本国の電話番号であるが、送信先情報「sip:info@abc.com.cn」のドメインの国情報は、中国である。よって、この場合、送信先の電話番号の国情報と送信先のＩＰアドレスのドメインの国情報が不一致になる。
【００８８】
上記ステップＳ５２４において国情報が不一致の場合の送信制限が設定されていると判定された場合、ＣＰＵ１３０は、送信先に対するＩＰ−ＦＡＸ送信を制限にするか否かを判定する（ステップＳ５２５）。ここでは、送信先の電話番号の国情報とその送信先情報のドメインの国情報が不一致であるか否かの判定結果に応じて、ＩＰ−ＦＡＸ送信を制限にするか否かが判定される。ここで、送信先の電話番号の国情報と送信先情報のドメインの国情報が不一致であるか否かの判定において、特定のドメイン（図４の「.com」ドメイン）を判定対象としない設定がされていると、上記特定のドメインが判定対象とされない。
【００８９】
上記ステップＳ５２５において送信先に対するＩＰ−ＦＡＸ送信を制限にしないと判定された場合、ＣＰＵ１３０は、送信先の装置（ＭＦＰ１１０）との間で、メディアセッションを開始する（ステップＳ５２６）。そして、ＣＰＵ１３０は、メディアセッションの終了（画像データの送信終了）を待つ（ステップＳ５２７）。
【００９０】
上記メディアセッションが終了すると、ＣＰＵ１３０は、「Ｂｙｅ」を送信し、送信結果の受信処理を行う（ステップＳ５２８）。続いて、ＣＰＵ１３０は、送信ログに、送信先情報、送信開始時間、送信者情報などの情報を記録するとともに、送信ログに記録された情報、送信画像の１ページ目の画像が記載された送信結果レポートを印刷して出力する（ステップＳ５２９）。そして、ＣＰＵ１３０は、本処理を終了する。
【００９１】
上記ステップＳ５２４において国情報が不一致の場合の送信制限が設定されていないと判定された場合、ＣＰＵ１３０は、送信先の装置との間で、メディアセッションを開始する（ステップＳ５２６）。
【００９２】
上記ステップＳ５２２において上記送信先情報のドメインが送信制限ドメインに該当すると判定された場合、ＣＰＵ１３０は、送信制限を示すメッセージを、操作部１３３に表示する（ステップＳ５２３）。そして、ＣＰＵ１３０は、「Ｂｙｅ」を送信し、送信結果の受信処理を行う（ステップＳ５２８）。次いで、ＣＰＵ１３０は、送信ログの記録および送信結果レポートの出力を行う（ステップＳ５２９）。ここでは、送信ログに、送信制限による送信エラーを示す情報および送信先情報（ネットワークアドレス）が記録されるとともに、送信ログに記録された情報が記載された送信結果レポートが印刷して出力される。そして、ＣＰＵ１３０は、本処理を終了する。
【００９３】
上記ステップＳ５２５において送信先に対するＩＰ−ＦＡＸ送信を送信制限にすると判定された場合、ＣＰＵ１３０は、送信制限を示すメッセージの表示（ステップＳ５２３）、「Ｂｙｅ」の送信を行う（ステップＳ５２８）。次いで、ＣＰＵ１３０は、送信ログの記録および送信結果レポートの出力を行う（ステップＳ５２９）。そして、ＣＰＵ１３０は、本処理を終了する。
【００９４】
上記ステップＳ５１５においてＩＰ−ＦＡＸ送信の制限が設定されていると判定された場合、ＣＰＵ１３０は、送信制限を示すメッセージの表示（ステップＳ５１２）、送信ログの記録および送信結果レポートの出力を行う（ステップＳ５１３）。そして、ＣＰＵ１３０は、本処理を終了する。
【００９５】
また、ステップＳ５１７において送信先のドメインが送信制限のドメインでないと判定された場合、同様に、ＣＰＵ１３０は、送信制限を示すメッセージの表示（ステップＳ５１２）、送信ログの記録および送信結果レポートの出力を行う（ステップＳ５１３）。そして、ＣＰＵ１３０は、本処理を終了する。
【００９６】
このように、本実施の形態によれば、送信制限ドメインを設定することによって、ＩＰ−ＦＡＸ送信の制限をきめ細やかに制御することができる。
【００９７】
なお、図５及び図６に示す例では、ＭＦＰ１００は、ＭＦＰ１１０からＳＩＰサーバ１０４を経由して送信される「２００  ＯＫ」に記述されたＭＦＰ１１０の情報（sip:info@abc.com.cn）を取得するが他の態様であっても構わない。即ち、ＭＦＰ１１０ではなく、ＳＩＰサーバ１０４が実際の通信先となるＭＦＰ１１０の情報（sip:info@abc.com.cn）をＭＦＰ１００に通知するようにしても構わない。
【００９８】
（第２の実施の形態）
次に、本発明の第２の実施の形態について説明する。本実施の形態は、上記第１の実施の形態と同じ構成を有し、本実施の形態においては、上記第１の実施の形態と同じ符号を用いて説明を行う。
【００９９】
まず、ＭＦＰ１０１からの転送依頼によりＭＦＰ１００がＭＦＰ１０１から受信したデータをＭＦＰ１１０へ転送する場合について図９を参照しながら説明する。図９は本発明の第２の実施の形態においてＭＦＰ１０１からの転送依頼によりＭＦＰ１００がＩＰ−ＦＡＸ通信により送信元のＭＦＰ１０１から受信したデータをＭＦＰ１１０へ転送する場合のシーケンスを示す図である。ここでは、ＭＦＰ１００，ＭＦＰ１１０間に、ＳＩＰサーバ１０４が介在するが、省略している。
【０１００】
ＭＦＰ１０１がＭＦＰ１００に対してＩＰ−ＦＡＸ送信により画像データを送信する場合、図９に示すように、ＭＦＰ１０１は、ＥＮＵＭサーバ１０５に対して、電話番号「+81-3-0000-0001」の宛先を問い合わせる（６００）。ＥＮＵＭサーバ１０５は、上記問い合わせに応答して、上記電話番号に対する宛先として「sip:info@abc.co.jp」を返す（６０１）。
【０１０１】
次いで、ＭＦＰ１０１は、ＭＦＰ１００に対して「ＩＮＶＩＴＥ」を発行する（６０２）。ＭＦＰ１００は、「１００  Ｔｒｙｉｎｇ」、「１８０  Ｒｉｎｇｉｎｇ」の暫定メッセージに続き、「２００  ＯＫ」を、ＭＦＰ１０１に返す（６０３〜６０５）。そして、ＭＦＰ１０１は、ＭＦＰ１００がデータ受信可能状態でなったことを知り、「ＡＣＫ」をＭＦＰ１００に送信する（６０６）。ここで、「ＩＮＶＩＴＥ」〜「ＡＣＫ」は、ＳＩＰのメッセージである。
【０１０２】
「ＡＣＫ」の送信後、ＭＦＰ１０１は、ＭＦＰ１００との間でメディアセッションを開始し、Ｔ．３８で規定される画像データをＭＦＰ１００に送信する（６０７）。
【０１０３】
メディアセッション終了後（画像データの送信終了後）、ＭＦＰ１０１は、「ＲＥＦＥＲ」をＭＦＰ１００に送信する（６０８）。これは、ＭＦＰ１００に対して、受信したデータを「sip:info@abc.com.cn」のＭＦＰ１１０に転送する依頼を行うメッセージである。上記依頼を受けたＭＦＰ１００は、受信したデータのＭＦＰ１１０への転送が許可されるか制限されるかを判定する。ここで、上記転送が許可されると判定された場合、ＭＦＰ１００は、「２０２  Ａｃｃｅｐｔｅｄ」（了承）をＭＦＰ１０１に送信する（６０９）。また、ＭＦＰ１００は、「ＩＮＶＩＴＥ」を、データの転送先であるＭＦＰ１１０に送信する（６１０）。
【０１０４】
「ＩＮＶＩＴＥ」を受信したＭＦＰ１１０は、「１００  Ｔｒｙｉｎｇ」、「１８０  Ｒｉｎｇｉｎｇ」の暫定メッセージに続き、「２００  ＯＫ」をＭＦＰ１００に返す（６１１〜６１３）。「２００  ＯＫ」を受けたＭＦＰ１００は、ＭＦＰ１１０がデータ受信可能状態になったことを知り、「ＡＣＫ」を送信する（６１４）。そして、ＭＦＰ１００は、ＭＦＰ１１０との間でメディアセッションを開始し、Ｔ．３８で規定される通信により、画像データをＭＦＰ１１０に送信する（６１５）。
【０１０５】
メディアセッション終了後、ＭＦＰ１００は、ＭＦＰ１１０に対して「Ｂｙｅ」を送信する（６２０）。ＭＦＰ１１０は、上記「Ｂｙｅ」に応答して、「２００  ＯＫ」をＭＦＰ１００に返す（６２１）。これにより、ＭＦＰ１００とＭＦＰ１１０の間の呼は、切断される。
【０１０６】
また、ＭＦＰ１００は、ＭＦＰ１０１に対して「ＮＯＴＩＦＹ」を送信し、データの転送が終了したことを通知する（６１６）。ＭＦＰ１０１は、「２００  ＯＫ」（６１７）に続いて、「Ｂｙｅ」をＭＦＰ１００に送信する（６１８）。ＭＦＰ１００は、上記「Ｂｙｅ」に応答して、「２００  ＯＫ」をＭＦＰ１０１に送信する（６１９）。これにより、ＭＦＰ１００とＭＦＰ１０１の間の呼は、切断される。
【０１０７】
次に、ＭＦＰ１０１からの転送依頼によりＭＦＰ１００がＭＦＰ１０１から受信したデータをＭＦＰ１１０へ転送する際に、ＭＦＰ１００によるデータの転送が許可されない場合について図１０を参照しながら説明する。図１０は本発明の第２の実施の形態においてＭＦＰ１０１からの転送依頼によりＭＦＰ１００がＭＦＰ１０１から受信したデータをＭＦＰ１１０へ転送する際に、ＭＦＰ１００によるデータの転送が許可されない場合のシーケンスを示す図である。
【０１０８】
図１０に示すように、ＭＦＰ１０１がＴ．３８で規定される画像データをＭＦＰ１００に送信する（６０７）までのシーケンスは、図９に示すシーケンスと同じである。
【０１０９】
メディアセッション終了後（画像データの送信終了後）、ＭＦＰ１０１は、「ＲＥＦＥＲ」をＭＦＰ１００に送信し、ＭＦＰ１００に対して受信したデータをＭＦＰ１１０（「sip:info@abc.com.cn」）に転送するように、依頼を行う（６０８）。
【０１１０】
上記依頼を受けたＭＦＰ１００は、受信したデータの転送先であるＭＦＰ１１０に付与されているＩＰアドレス「sip:info@abc.com.cn」のドメインがＦＡＸ送信制限設定画面（図４）で設定されている送信制限ドメインに該当するか否かを判定する。ここでは、ＭＦＰ１１０のＩＰアドレス「sip:info@abc.com.cn」のドメインが送信制限ドメインに該当するとする。この場合、ＭＦＰ１００は、「５０３  Ｓｅｒｖｉｃｅ  Ｕｎａｖａｉｌａｂｌ」をＭＦＰ１０１に返し（６３０）、受信したデータの転送を行わない。
【０１１１】
上記「５０３  Ｓｅｒｖｉｃｅ  Ｕｎａｖａｉｌａｂｌ」を受けたＭＦＰ１０１は、ＭＦＰ１００によりＭＦＰ１１０へのデータの転送が行われなかったことを知り、「Ｂｙｅ」をＭＦＰ１００に送信する（６１８）。そして、「Ｂｙｅ」を受けたＭＦＰ１００は、「２００  ＯＫ」をＭＦＰ１０１に返し、ＭＦＰ１００は、処理を終了する。
【０１１２】
次に、ＭＦＰ１００がＭＦＰ１０１から受信したデータをＭＦＰ１１０へ転送する際のＭＦＰ１００の動作について図１１を参照しながら説明する。図１１は本発明の第２の実施の形態においてＭＦＰ１００がＭＦＰ１０１から受信したデータをＭＦＰ１１０へ転送する際のＭＦＰ１００の動作の手順を示すフローチャートである。図１１に示すフローチャートの手順は、ＭＦＰ１００のＣＰＵ１３０により、ＲＯＭ１３１に格納されているプログラムに従って、実行されるものである。
【０１１３】
ＭＦＰ１００がＭＦＰ１０１から送信された画像データを受信する場合、図１１に示すように、ＣＰＵ１３０は、ＳＩＰ処理により、ＳＩＰのメッセージのやり取り（図９または図１０の６０２〜６０６）を行う（ステップＳ７０１）。
【０１１４】
次いで、ＣＰＵ１３０は、メディアセッションを開始し、Ｔ．３８で規定されている画像データを受信する（ステップＳ７０２）。ここで、受信した画像データは、ハードディスク１３７に格納される。そして、ＣＰＵ１３０は、メディアセッションの終了（ＭＦＰ１０１から送信された画像データの受信の終了）を待つ（ステップＳ７０３）。
【０１１５】
上記メディアセッションが終了すると、ＣＰＵ１３０は、ＭＦＰ１０１から送信されたメッセージを受信し、当該メッセージが「ＲＥＦＥＲ」であるか否かを判定する（ステップＳ７０４）。ここで、受信したメッセージが「ＲＥＦＥＲ」でない場合、ＣＰＵ１３０は、ＭＦＰ１０１との呼切断を行い（ステップＳ７１４）、本処理を終了する。ここでは、ＣＰＵ１３０は、ＭＦＰ１０１から送信された「Ｂｙｅ」を受信すると、「Ｂｙｅ」に応答して「２００  ＯＫ」をＭＦＰ１０１に返す。
【０１１６】
上記ステップＳ７０４において受信したメッセージが「ＲＥＦＥＲ」であると判定された場合、ＣＰＵ１３０は、「ＲＥＦＥＲ」に含まれる、受信した画像データの送信先（転送先）の送信先情報を取得する。そして、ＣＰＵ１３０は、上記取得された送信先情報のドメインが設定されている送信制限ドメインに該当するものであるか否かを判定する（ステップＳ７０５）。上記送信先情報のドメインが送信制限ドメインに該当するものであると判定された場合、ＣＰＵ１３０は、「５０３  Ｓｅｒｖｉｃｅ  Ｕｎａｖａｉｌａｂｌ」をＭＦＰ１０１に送信し、転送不可を通知する（ステップＳ７１３）。そして、ＣＰＵ１３０は、ＭＦＰ１０１との呼切断を行い（ステップＳ７１４）、本処理を終了する。
【０１１７】
上記ステップＳ７０５において上記宛先のドメインが送信制限ドメインに該当するものでないと判定された場合、ＣＰＵ１３０は、送信先の電話番号の国情報とドメインの国情報が不一致の場合の送信制限が設定されているか否かを判定する（ステップＳ７０６）。
【０１１８】
上記ステップＳ７０６において上記国情報が不一致の場合の送信制限が設定されていると判定された場合、ＣＰＵ１３０は、上記送信先に対するＩＰ−ＦＡＸ送信を制限にするか否かを判定する（ステップＳ７０７）。ここでは、送信先の電話番号の国情報とドメインの国情報が不一致であるか否かの判定結果に応じて、ＩＰ−ＦＡＸ送信を制限にするか否かが判定される。ここで、特定のドメイン（図４の「.com」ドメイン）を判定対象としない設定がされていると、上記特定のドメインが判定対象とされない。
【０１１９】
上記ステップＳ７０７において送信先に対するＩＰ−ＦＡＸ送信を制限にしないと判定された場合、ＣＰＵ１３０は、ＳＩＰ処理により、ＭＦＰ１１０との間でＳＩＰのメッセージのやり取りを行う（ステップＳ７０８）。これにより、ＭＦＰ１００は、ＭＦＰ１１０に対してＩＰ−ＦＡＸ送信可能に接続される。また、ＣＰＵ１３０は、依頼された宛先への受信したデータの転送を行うことをＭＦＰ１０１に通知するために、「２０２  Ａｃｃｅｐｔｅｄ」をＭＦＰ１０１に送信する。
【０１２０】
次いで、ＣＰＵ１３０は、受信した画像データを送信するためのメディアセッションを開始する（ステップＳ７０９）。そして、ＣＰＵ１３０は、上記メディアセッションの終了（画像データの送信終了）を待つ（ステップＳ７１０）。上記メディアセッションが終了すると、ＣＰＵ１３０は、ＭＦＰ１０１との呼切断を行う（ステップＳ７１１）。ここでは、ＭＦＰ１００からＭＦＰ１１０に対して「Ｂｙｅ」が送信され、ＭＦＰ１１０からＭＦＰ１００に対して「２００  ＯＫ」が返される。
【０１２１】
次いで、ＣＰＵ１３０は、「ＮＯＴＩＦＹ」をＭＦＰ１０１に送信し、転送終了をＭＦＰ１０１に通知する（ステップＳ７１２）。そして、ＣＰＵ１３０は、ＭＦＰ１０１との呼切断処理を行い（ステップＳ７１４）、本処理を終了する。
【０１２２】
上記ステップＳ７０７において上記送信先に対するＩＰ−ＦＡＸ送信を制限にすると判定された場合、ＣＰＵ１３０は、転送不可をＭＦＰ１０１に通知する（ステップＳ７１３）。そして、ＣＰＵ１３０は、ＭＦＰ１０１との呼切断を行い（ステップＳ７１４）、本処理を終了する。
【０１２３】
このように、本実施の形態によれば、送信制限ドメインを設定することによって、ＩＰ−ＦＡＸ送信の制限をきめ細やかに制御することができる。
【０１２４】
なお、上述した第１及び第２の実施の形態では、送信を制限する場合は一切の送信処理を実行しない（つまり、送信を禁止する）例について説明したが、他の態様であっても構わない。即ち、送信を制限する場合に、送信することをユーザに確認させるためのメッセージを表示し、ユーザによる承認が行われた上で送信処理を実行するようにしても良い。
【０１２５】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１２６】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【０１２７】
１００，１０１，１１０  ＭＦＰ
１０２  ＬＡＮ
１０３  インターネット網
１０４  ＳＩＰサーバ
１０５  ＥＮＵＭサーバ
１３０  ＣＰＵ
１３１  ＲＯＭ
１３３  操作部
１３７  ハードディスク
１３８  ネットワークＩ／Ｆ
【図１】
2010183340.tif 000004
【図２】
2010183340.tif 000005
【図３】
2010183340.tif 000006
【図４】
2010183340.tif 000007
【図５】
2010183340.tif 000008
【図６】
2010183340.tif 000009
【図７】
2010183340.tif 000010
【図８】
2010183340.tif 000011
【図９】
2010183340.tif 000012
【図１０】
2010183340.tif 000013
【図１１】
2010183340.tif 000014